(57)【特許請求の範囲】
【請求項１】
吸収パッドと前記吸収パッドを装架するウエストバンドとを有する吸収性物品であって、
前記吸収パッドは、透液性トップシートと、不透液性バックシートと、前記透液性トップシートと不透液性バックシートとの間に少なくとも股間部から背側部分にかけて縦方向に延在する吸収体と、前記不透液性バックシートの外面に外装シートを有し、
前記外装シートの外面の腹側部および背側部の両隅部にそれぞれ係合部材が付設され、
前記ウエストバンドは、帯状の不織布と、前記不織布の周方向に沿って伸張状態に付設された伸縮部材とを有する帯状体と、
前記帯状体の周方向の一方の端部に付設されたメカニカルファスナーのフック材と、前記帯状体の周方向の他方の端部に前記フック材と係合可能な係合部とを有し、
着用者の右側腸骨に対向する前記帯状体の部位に、前記吸収パッドの腹側部の係合部材を装架する第１腹側係合部と、前記吸収パッドの背側部の係合部材を装架する第１背側係合部とを有し、
着用者の左側腸骨に対向する前記帯状体の部位に、前記吸収パッドの腹側部の係合部材を装架する第２腹側係合部と、前記吸収パッドの背側部の係合部材を装架する第２背側係合部とを有し、
前記第１，２腹側係合部および前記第１，２背側係合部の内面には、それぞれ前記吸収パッドの係合部材に係合可能なメカニカルファスナーのフック材が付設され、
前記第１，２腹側係合部および前記第１，２背側係合部は、それぞれ前記帯状体の縦方向に対し傾斜して付設され、前記帯状体の腰下部開口縁を超えて延在し、
前記帯状体の両端部には、それぞれ腰下部の端片から第１切欠き部が形成され、前記帯状体の周方向の中央部には、腰下部の端片から第２切欠き部が形成され、前記帯状体環状にした場合に、一対の第１切欠き部からなる台形形状の腹側切欠き部と、第２切欠き部からなる台形形状の背側切欠き部を有し、
前記第１，２腹側係合部および第１，２背側係合部は、それぞれ前記帯状体の部位に固定される不織布からなる取付けシートと、前記取付けシートの先端部に設けられた伸縮部材が付設された不織布からなる伸縮シートから形成され、前記伸縮シートの先端部に前記フック材が付設され、
前記第１腹側係合部の取付けシートを三角形状に形成された第１固着部を介して前記帯状体における伸縮部材よりも下側の部位に固定し、前記第１背側係合部の取付けシートを該第１固着部と対称の三角形状に形成された第２固着部を介して前記帯状体における伸縮部材よりも下側の部位に固定し、
前記第２腹側係合部の取付けシートを三角形状に形成された第１固着部を介して前記帯状体における伸縮部材よりも下側の部位に固定し、前記第２背側係合部の取付けシートを該第１固着部と対称の三角形状に形成された第２固着部を介して前記帯状体における伸縮部材よりも下側の部位に固定している、
ことを特徴とする吸収性物品。
【請求項２】
前記吸収パッドのサイドフラップ部にそれぞれ脚周り伸縮部材が付設され、前記脚周り伸縮部材は股間部から縦方向に延在し、前記外装シートの腹側部および背側部の係合部材に対向する位置まで付設されている請求項１記載の吸収パッド。  
【請求項３】
前記吸収パッドのエンドフラップ部にそれぞれ仮止部材が付設されている請求項１または２記載の吸収性物品。
【請求項４】
第１腹側係合部と第２背側係合部との端部は、前記帯状体の周方向に対し時計方向に３０〜６０度傾斜して固着され、第２腹側係合部と第１背側係合部との端部は、前記帯状体の周方向に対し反時計方向に３０〜６０度傾斜して固着されている請求項１乃至３記載のいずれか１項に記載の吸収性物品。
【請求項５】
１５０％伸張時において、前記帯状体のウエスト部に付設された伸縮部材の伸縮応力は、１０〜３５ｇであり、腰下部に付設された伸縮部材の伸縮応力は、４〜１５ｇである請求項１乃至４のいずれか１項に記載の吸収性物品。
【請求項６】
前記帯状体の端部外面および周方向の中央部外面に認識可能な目印が付され、前記帯状体環状にした場合に、腹側中央部および背側中央部にそれぞれ目印を有し、
前記吸収パッドの外装シートの幅方向中央部に縦方向に延在する認識可能な目印が付された請求項１乃至５のいずれか１項に記載の吸収性物品。
【発明の詳細な説明】
【技術分野】
【０００１】
本発明は、吸収パッドおよび吸収性物品に関し、特に、着用者の背側から容易に交換することができる吸収パッドおよび吸収性物品に関する。
【背景技術】
【０００２】
特許文献１には、収縮領域及び非収縮領域を有する帯状体と、帯状体の周方向の一方の端部に付設されたフック材と、帯状体の周方向の他方の端部に付設された係合部とを備えたウエストバンドが記載され、着用者が側臥位にした状態で吸収性本体の周方向の両端部をそれぞれウエストバンド内面の非収縮領域に着脱自在に固定する手段が記載されている。
【０００３】
特許文献２には、ウエスト周り伸縮弾性部材を挟み込んだウエストシートの端部にそれぞれフック材とループ材を付設した着脱可能な接合構造としているウエストバンドが記載され、着用者が側臥位にした状態で吸収体本体の周方向の両端部をそれぞれウエストバンドの内面に着脱自在に固定する手段が記載されている。
【０００４】
特許文献３には、背側バンドと腹側バンドとの両端部がそれぞれ接合されて環状に形成されたウエストバンドが記載され、着用者が起立にした状態で吸収体本体の背側端部を背側バンドの内面に、吸収体本体の腹側端部を腹側バンドの外面に着脱自在に固定する手段が記載されている。
【０００５】
特許文献４には、ウエスト開口部近傍に弾性部材が付設された外装シートの両端部をそれぞれ接合し環状に形成したウエストバンド記載され、着用者が起立にした状態で吸収性本体の周方向の両端部をそれぞれウエストバンドの外面に着脱自在に固定する手段が記載されている。
【先行技術文献】
【特許文献】
【０００６】
【特許文献１】特開２０１０―８２１３９号公報
【特許文献２】特開２０００―５１２７３号公報
【特許文献３】特開２００５―２１１９６号公報
【特許文献４】特許第４１１６２８５号公報
【発明の概要】
【発明が解決しようとする課題】
【０００７】
特許文献１，２に記載されたウエストバンドは着用者の側部で接合するため、硬直のために関節の自由が利かず体位変換が容易でない着用者に吸収性本体の交換をする場合、着用者の体位変換をする必要がないため介護補助者の負担を軽減する利点がある。
【０００８】
特許文献３，４に記載されたウエストバンドは関節の自由が利き体位変換が行える着用者が使用する場合、ウエストバンドに脚を通してウエスト部に固定し、吸収性本体をウエストバンドに容易に固定できるため着用者および介護補助者の負担を軽減する利点がある。
【０００９】
しかし、いずれの着用者であっても吸収性本体の交換には羞恥心があり、強い羞恥心を感じた場合、着用者は吸収性本体の交換を嫌がり、介護補助者に暴力を振る等のいわゆる介護抵抗に至る恐れがあることから、着用者の背側から吸収性本体の交換を行なうことができるウエストバンドが希求されている。
そこで、本発明の主たる課題は、起立した着用者の背側から容易に交換できる吸収パッドおよびウエストバンドと吸収パッドからなる吸収性物品を提供することにあり、次なる課題は、着用者への装着時に容易に装着位置に調整できる吸収パッドおよび吸収性物品を提供することにある。
【課題を解決するための手段】
【００１０】
上記課題を解決した本発明は次記のとおりである。
【００１１】
【００１２】
【００１３】
【００１４】
【００１５】
【００１６】
＜請求項１記載の発明＞
吸収パッドと前記吸収パッドを装架するウエストバンドとを有する吸収性物品であって、
前記吸収パッドは、透液性トップシートと、不透液性バックシートと、前記透液性トップシートと不透液性バックシートとの間に少なくとも股間部から背側部分にかけて縦方向に延在する吸収体と、前記不透液性バックシートの外面に外装シートを有し、
前記外装シートの外面の腹側部および背側部の両隅部にそれぞれ係合部材が付設され、
前記ウエストバンドは、帯状の不織布と、前記不織布の周方向に沿って伸張状態に付設された伸縮部材とを有する帯状体と、
前記帯状体の周方向の一方の端部に付設されたメカニカルファスナーのフック材と、前記帯状体の周方向の他方の端部に前記フック材と係合可能な係合部とを有し、
着用者の右側腸骨に対向する前記帯状体の部位に、前記吸収パッドの腹側部の係合部材を装架する第１腹側係合部と、前記吸収パッドの背側部の係合部材を装架する第１背側係合部とを有し、
着用者の左側腸骨に対向する前記帯状体の部位に、前記吸収パッドの腹側部の係合部材を装架する第２腹側係合部と、前記吸収パッドの背側部の係合部材を装架する第２背側係合部とを有し、
前記第１，２腹側係合部および前記第１，２背側係合部の内面には、それぞれ前記吸収パッドの係合部材に係合可能なメカニカルファスナーのフック材が付設され、
前記第１，２腹側係合部および前記第１，２背側係合部は、それぞれ前記帯状体の縦方向に対し傾斜して付設され、前記帯状体の腰下部開口縁を超えて延在し、
前記帯状体の両端部には、それぞれ腰下部の端片から第１切欠き部が形成され、前記帯状体の周方向の中央部には、腰下部の端片から第２切欠き部が形成され、前記帯状体環状にした場合に、一対の第１切欠き部からなる台形形状の腹側切欠き部と、第２切欠き部からなる台形形状の背側切欠き部を有し、
前記第１，２腹側係合部および第１，２背側係合部は、それぞれ前記帯状体の部位に固定される不織布からなる取付けシートと、前記取付けシートの先端部に設けられた伸縮部材が付設された不織布からなる伸縮シートから形成され、前記伸縮シートの先端部に前記フック材が付設され、
前記第１腹側係合部の取付けシートを三角形状に形成された第１固着部を介して前記帯状体における伸縮部材よりも下側の部位に固定し、前記第１背側係合部の取付けシートを該第１固着部と対称の三角形状に形成された第２固着部を介して前記帯状体における伸縮部材よりも下側の部位に固定し、
前記第２腹側係合部の取付けシートを三角形状に形成された第１固着部を介して前記帯状体における伸縮部材よりも下側の部位に固定し、前記第２背側係合部の取付けシートを該第１固着部と対称の三角形状に形成された第２固着部を介して前記帯状体における伸縮部材よりも下側の部位に固定している、
ことを特徴とする吸収性物品。
【００１７】
（作用効果）
請求項１記載の発明は、吸収パッドの外装シートの外面の腹側部および背側部の両隅部にそれぞれ装着位置が表示された係合部材が付設されていることから、着用者の背側から吸収パッドを容易に交換でき、装着位置の表示を目安に吸収パッドの装着位置を容易に調整することができる。
【００１８】
帯状体の周方向の一方の端部に付設されたフック材と帯状体の周方向の他方の端部にフック材と係合可能な係合部とを有し、着用者の右側腸骨に対向する帯状体の部位に、吸収パッドの腹側部の係合部材を装架する第１腹側係合部と、吸収パッドの背側部の係合部材を装架する第１背側係合部とを有し、着用者の左側腸骨に対向する帯状体の部位に、吸収パッドの腹側部の係合部材を装架する第２腹側係合部と、吸収パッドの背側部の係合部材を装架する第２背側係合部とを有していることから、介護補助者は着用者の背側からウエストバンドを着用者に装着し、吸収パッドをウエストバンドに取付け、着用者の腹側中央部でウエストバンドを容易に環状にできる。
【００１９】
第１，２腹側係合部および第１，２背側係合部の内面には、それぞれ吸収パッドの外面に係合可能なメカニカルファスナーのフック材が付設され、第１，２腹側係合部および第１，２背側係合部は、それぞれ帯状体の縦方向に対し傾斜して付設され、帯状体の腰下部開口縁を超えて延在していることから、起立した着用者にウエストバンドを装着する場合、ウエストバンドの第１，２腹側係合部および第１，２背側係合部を着用者の鼠蹊部に沿って容易に装着できる。また、吸収パッドを交換する場合、吸収パッドをウエストバンドの第１，２腹側係合部および第１，２背側係合部に容易に係合でき、しかも吸収パッドとの係合位置を微調整できるため、着用者に吸収パッドを簡易にフィットさせることができる。
また、第１，２腹側係合部および第１，２背側係合部は、それぞれ帯状体の部位に固定される不織布からなる取付けシートと、取付けシートの先端部に設けられた伸縮部材が付設された不織布からなる伸縮シートから形成され、伸縮シートの先端部にフック材が付設されているので、帯状体に吸収パッドを容易に取付け、着用者と吸収パッドとのフィット性を高めることができる。
さらに、第１腹側係合部の取付けシートを三角形状に形成された第１固着部を介して帯状体における伸縮部材よりも下側の部位に固定し、第１背側係合部の取付けシートを第１固着部と対称の三角形状に形成された第２固着部を介して帯状体における伸縮部材よりも下側の部位に固定し、第２腹側係合部の取付けシートを三角形状に形成された第１固着部を介して帯状体における伸縮部材よりも下側の部位に固定し、第２背側係合部の取付けシートを第１固着部と対称の三角形状に形成された第２固着部を介して帯状体における伸縮部材よりも下側の部位に固定しているので、伸縮部材による第１，２腹側係合部の取付けシートの第１固着部が収縮する影響を受けにくく、また、第１，２腹側係合部の取付けシートの第１固着部をそれぞれ装着者の腸骨上に位置させて第１固着部の位置ズレを防止することができる。
【００２０】
＜請求項２記載の発明＞
前記吸収パッドのサイドフラップ部にそれぞれ脚周り伸縮部材が付設され、前記脚周り伸縮部材は股間部から縦方向に延在し、前記外装シートの腹側部および背側部の係合部材に対向する位置まで付設されている請求項１記載の吸収パッド。    
【００２１】
（作用効果）
請求項２記載の発明は、脚周り伸縮部材が股間部から縦方向に延在し外装シートの腹側部および背側部の係合部材に対向する位置まで付設されていることから、使用時に脚周り伸縮部材の収縮による吊上げ力が発生し、着用者と吸収パッドとの高いフィット性を維持することができる。
【００２２】
＜請求項３記載の発明＞
前記吸収パッドのエンドフラップ部にそれぞれ仮止部材が付設されている請求項１または２記載の吸収性物品。
【００２３】
（作用効果）
請求項３記載の発明は、吸収パッドのエンドフラップ部にそれぞれ仮止部材が付設されていることから、仮止部材をウエストバンドに仮止めすることにより介護補助者は自由に両腕が使用でき、吸収パッドをより容易に交換できる。また、吸収パッドのエンドフラップ部を透液性トップシートに向かって折り曲げ、仮止部材を透液性トップシートに仮止することのより吸収パッドの縦方向両端部から尿等の漏れ出しを防止することができる。
【００２４】
【００２５】
【００２６】
＜請求項４記載の発明＞
第１腹側係合部と第２背側係合部との端部は、前記帯状体の周方向に対し時計方向に３０〜６０度傾斜して固着され、第２腹側係合部と第１背側係合部との端部は、前記帯状体の周方向に対し反時計方向に３０〜６０度傾斜して固着されている請求項１乃至３記載のいずれか１項に記載の吸収性物品。
【００２７】
（作用効果）
請求項４記載の発明は、第１腹側係合部と第２背側係合部との端部は、帯状体の周方向に対し時計方向に３０〜６０度傾斜して固着され、第２腹側係合部と第１背側係合部との端部は、帯状体の周方向に対し反時計方向に３０〜６０度傾斜して固着されていることから、ウエストバンドに吸収パッドを装架した場合、吸収パッドには着用者に向かう吊上げ力が発生し、着用者と吸収パッドとの高いフィット性を維持することができ、また、ウエストバンドをより容易に装着でき、吸収パッドをウエストバンドにより容易に装架させることができる。
【００２８】
＜請求項５記載の発明＞
１５０％伸張時において、前記帯状体のウエスト部に付設された伸縮部材の伸縮応力は、１０〜３５ｇであり、腰下部に付設された伸縮部材の伸縮応力は、４〜１５ｇである請求項１乃至４のいずれか１項に記載の吸収性物品。
【００２９】
（作用効果）
請求項５記載の発明は、１５０％伸張時において、帯状体のウエスト部に付設された伸縮部材の伸縮応力は、１０〜３５ｇであり、腰下部に付設された伸縮部材の伸縮応力は、４〜１５ｇであることから、帯状体のウエスト部を着用者の腸骨上部のくびれ部位に強固に装着でき使用時にウエストバンドの装着位置がズレ下がる恐れがない。また、吸収パッドが重なる帯状体の腰下部の過度の圧迫を防止することができる。
【００３０】
＜請求項６記載の発明＞
前記帯状体の端部外面および周方向の中央部外面に認識可能な目印が付され、前記帯状体環状にした場合に、腹側中央部および背側中央部にそれぞれ目印を有し、
前記吸収パッドの外装シートの幅方向中央部に縦方向に延在する認識可能な目印が付された請求項１乃至５のいずれか１項に記載の吸収性物品。
【００３１】
（作用効果）
請求項６記載の発明は、帯状体環状にした場合に、腹側中央部および背側中央部にそれぞれ目印を有し、吸収パッドの外装シートに縦方向に延在する目印が付されていることから、介護補助者が目印を目安に吸収パッドをウエストバンドに容易に取付けることができる。
【００３２】
【００３３】
【００３４】
【００３５】
【発明の効果】
【００３６】
以上のとおり、本発明によれば、着用者の背側から容易に吸収パッドおよびウエストバンドと吸収パッドからなる吸収性物品の交換を行なうことができ、着用者への装着時に容易に吸収パッドおよび吸収性物品の装着位置を調整することができる。
【図面の簡単な説明】
【００３７】
【図１】ウエストバンドの展開状態の外面側を示す平面図である。
【図２】ウエストバンドの展開状態の内面側を示す平面図である。
【図３】ウエストバンドの環状状態の正面（腹側）図である。
【図４】ウエストバンドの環状状態の左側面図である。
【図５】帯状体の展開状態の外面側を示す平面図である。
【図６】図５のＡ−Ａ拡大断面図である。
【図７】図１のＢ−Ｂ拡大断面図である。
【図８】第１，２腹側係合部および第１，２背側係合部の製造概念図である。
【図９】吸収パッドの展開状態の内面側を示す平面図である。
【図１０】吸収パッドの要部のみを示す平面図である。
【図１１】吸収パッドの展開状態の外面側を示す平面図である。
【図１２】図９のＸ−Ｘ断面図である。
【図１３】図９のＹ−Ｙ断面図である。
【図１４】図９のＺ−Ｚ断面図である。
【図１５】図１０の要部のみを示す平面図である。
【図１６】吸収パッドの斜視図である。
【図１７】吸収パッドをウエストバンドに取付けた正面（腹側）斜視図である。
【図１８】吸収パッドをウエストバンドに取付けた裏面（背側）斜視図である。
【発明を実施するための形態】
【００３８】
本発明の実施形態について、添付図面を参照しつつ説明する。以下の説明において、「内面」とは着用者面側を、「外面」とは着用者面側とは反対面側をいい、「縦方向」とは上下方向を、「周方向（幅方向）」とは縦方向と直交する左右方向をいい、「近似」とは、腸骨形状と同じの略三角形状をいい、「１５０％伸張」とは、伸縮部材の自然長さ（Ｌ０）、伸張時長さ（Ｌ１）とした場合、「伸張時長さ（Ｌ１）／伸縮部材の自然長さＬ０）×１００[％]」で算出した値である。
また、「股間部」とは着用者の股間と対応する部分をいい、「腹側（前側）」は股間部よりも腹側の部分をいい、「背側（後側）」とは股間部よりも背側の部分をいう。
【００３９】
＜ウエストバンド＞
図１〜図４に示すように、本発明の実施形態であるウエストバンド１００は、帯状体５０と、吸収パッド２００の腹側を取付ける第１，２腹側係合部７０，７２と、吸収パッド２００の背側を取付ける第１，２背側係合部７１，７３とからなる。
【００４０】
ウエストバンド１００を着用者に装着する場合、先ず帯状体５０の周方向中心部を着用者の背側に当てた後、帯状体５０周方向の両端部をそれぞれ着用者のウエストの右側と左側に伸張させながら着用者のウエストを囲装し、最後に着用者の腹側で帯状体５０のフック材５６とループ材５７を係合し環状にする。
【００４１】
ウエストバンド１００のサイズによって異なるが、ウエストバンド１００の環状状態における幅Ｗ１は概して１３０〜４００ｍｍであり、帯状体５０の縦方向長さＴ１は６０〜１６０ｍｍであり、帯状体５０の縦方向上部をなすウエスト部Ｗの縦方向長さＴ２は１５〜４０ｍｍであり、縦方向下部をなす腰下部Ｕの縦方向長さＴ３は４５〜１２０ｍｍである。
【００４２】
＜帯状体＞
図５，６に示すように、ウエストバンド１００の帯状体５０は外面を形成する上層不織布５１と内面を形成する下層不織布５２とからなり、上層不織布５１と下層不織布５２との間には複数の伸縮部材が付設されている。
なお、上下層不織布５１，５２を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができ、上層不織布５１には不織布に替えて伸縮性を有するプラスチックシートを用いることができる。
【００４３】
帯状体５０のウエスト部Ｗには、周方向に沿って４〜１０本のウエスト伸縮部材５３が２〜６ｍｍ間隔で付設されている。ウエスト部Ｗを着用者の腸骨上部のくびれ部位に確実に装着するため、ウエスト伸縮部材５３としては、１５０％伸張時の伸縮応力が１０〜３５ｇで、太さ６２０ｄｔｅｘ以下の伸縮部材を用いるのが好ましい。
【００４４】
帯状体５０の腰下部Ｕには、周方向に沿って５〜２０本の腰下伸縮部材５４が１０〜２０ｍ間隔で付設されている。着用者の腰下部に作用する過度の圧迫さけるため、腰下伸縮部材５４としては、１５０％伸張時の伸縮応力が４〜１５ｇで、太さ６２０ｄｔｅｘ以下の伸縮部材を用いるのが好ましい。
【００４５】
後述するフック材５６およびループ材５７と帯状体５０との剥がれを防止するため、ウエスト伸縮部材５３および腰下伸縮部材５４はフック材５６およびループ材５７が付設される帯状体５０の部位には延在させないようにするのが好ましい。
なお、本実施形態の帯状体５０のウエスト伸縮部材５３には糸ゴムを用いているが、糸ゴムに替えてテープ状の伸縮部材を用いることもできる。
【００４６】
帯状体５０の周方向の一方の外面端部には、支持部材５５を介してメカニカルファスナーのフック材５６が付設されており、帯状体の周方向の他方の内面端部にはメカニカルファスナーのループ材５７が付設されている。
【００４７】
サイズによって異なるが、所要の係合強度を付与するため、フック材５６の形状は概して、幅１０〜２５ｍｍ、縦方向長さ５５〜１５５ｃｍの矩形形状であり、ループ材５７の形状は概して、幅５〜１５ｍｍ、縦方向長さ５０〜１５０ｃｍの矩形形状である。
なお、係合強度とは、フック材５６とループ材５７との係合面に作用するせん断力に対する強さをいうものであり、着用者の歩行、着座等にともなう動作によりフック材５６とループ材５７との係合面の剥がれを防止するため、通常の着用者である場合、フック材５６とループ材５７とのせん断応力は５Ｎ／ｃｍ2以上であり、係合強度は６０Ｎ以上であるのが好ましい。
【００４８】
支持部材５５としては、不織布、織布、網布等の種々の材料を用いることができるが、着用者にウエストバンド１００を密着して装着させるため、周方向に伸縮する伸縮性不織布を用いるのが好ましい。
本実施形態のフック材５６と支持部材５５の外面およびループ材５７と帯状体５０の内面はサーマルボンドにより固着しているが、公知の接着剤、ウルトラソニックボンドを用いることもできる。
【００４９】
ウエストバンド１００に吸収パッド２００を容易に取付けるため、帯状体５０の外面中央部およびループ材５７が付設されている帯状体５０の周方向の外面端部には認識可能な目印６０が付設されている。
【００５０】
また、吸収パッド２００の透液性トップシート２２の全域を体液吸収面として有効利用するため、帯状体５０の周方向両端部の腰下部Ｕには第１切欠き部６１が形成され、帯状体５０の周方向中央部の腰下部Ｕには第２切欠き部６２が形成されており、ウエストバンド１００を環状にした場合、着用者の腹側および背側の腰下部Ｕには略台形形状の切欠き部が形成され、腰下部Ｕが吸収パッド２００の透液性トップシート２２を覆うことがない。
【００５１】
さらに、着用者の皮膚と後述する第１，２腹側係合部７０，７２および第１，２背側係合部７１，７３とが接触による着用者の皮膚を保護するため、第１腹側係合部７０および第１背側係合部７１と第２腹側係合部７２および第２背側係合部７３と対向する帯状体５０の内面に保護シート（図示省略）を付設することができる。
なお、保護シートは、不織布で形成され、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５２】
＜係合部＞
図１〜図４に示すように、第１腹側係合部７０は着用者の右側腸骨に対向する帯状体５０の上層不織布５１の外面に固着され、第１背側係合部７１は第１腹側係合部７０より内方の帯状体５０上層不織布５１の外面に第１腹側係合部７０と対称に固着されている。
第２腹側係合部７２は着用者の左側腸骨に対向する帯状体５０の上層不織布５１の外面に固着され、第２背側係合部７３は第２腹側係合部７２より内方の帯状体５０上層不織布５１の外面に第２腹側係合部７２と対称に固着されている。
また、第１腹側係合部７０と第２背側係合部７３とは同一形状に形成されており、第２腹側係合部７２と第１背側係合部７１とは同一形状に形成されている。
【００５３】
使用時にウエストバンド１００が下方へのズレ下がりを防止するため、第１，２腹側係合部７０，７２の取付けシート８０の固着部（請求項における「第１固着部」と「第２固着部」）７４は、それぞれ着用者の右側腸骨、左側腸骨の形状に近似する略三角形状に付設されている。
【００５４】
第１，２腹側係合部７０，７２を帯状体５０の上層不織布５１に固着する固着部７４は、ウエスト伸縮部材５３および腰下伸縮部材５４の影響による伸張が小さく、着用者体型が凹部状になる左右腸骨上に固着部７４を位置させた場合、着用者体型が凹部状により固着部７４の移動が制限される。
【００５５】
ウエストバンド１００に吸収パッド２００を容易に取付け、着用者と吸収パッド２００の優れたフィット性を維持するため、第１腹側係合部７０および第２背側係合部７３の取付けシート８０の上片を帯状体５０の上層不織布５１の周方向に対して時計方向に３０〜６０度傾斜して固着し、第２腹側係合部７２および第１背側係合部の取付けシート８０の上片を帯状体５０の上層不織布５１の周方向に対して反時計方向に３０〜６０度傾斜して固着するのが好ましい。
【００５６】
図７に示すように、第１，２腹側係合部７０，７２および第１，２背側係合部７１，７３は、いずれも取付けシート８０と伸縮シート８１からなり、伸縮シート８１の先端部内面にはサーマルボンドによりメカニカルファスナーのフック材８４が付設されている。
【００５７】
取付けシート８０は不織布、織布、網布等の種々の材料を用いることができ、伸縮シート８１は外面を形成する上層不織布８２と内面を形成する下層不織布８３とからなり、吸収パッド２００を容易に取付け、着用者と吸収パッド２００とのフィット性を高めるため、上層不織布８２と下層不織布８３との間には複数の伸縮部材８５が付設されている。
なお、上下層不織布８２，８３を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができ、上下層不織布５２には不織布に替えて伸縮性を有するプラスチックシートを用いこともできる。
【００５８】
図８に示すように、第１，２腹側係合部７０，７２および第１，２背側係合部７１，７３の伸縮シート８１は同一形状としているため、一枚の矩形形状の不織布シートからロータカッタを用いて連続生産でき、また、廃棄する不織布シートの量も削減することができる。
【００５９】
＜吸収パッド＞
図９〜図１６は、本発明に係る吸収パッド例２００を示している。この吸収パッド２００は、股間部Ｃ２と、その縦方向両側に延在する腹側部分Ｆ２及び背側部分Ｂ２とを有するものである。各部の寸法は適宜定めることができ、例えば、物品全長（縦方向長さ）Ｍは３５０〜７００ｍｍ程度、全幅Ｗ１は１３０〜４００ｍｍ程度（ただし、おむつの吸収面の幅より狭い）とすることができ、この場合における股間部Ｃ２の縦方向長さは１０〜１５０ｍｍ程度、腹側部分Ｆ２の縦方向長さは５０〜３５０ｍｍ程度、及び背側部分Ｂ２の縦方向長さは５０〜３５０ｍｍ程度とすることができる。
【００６０】
吸収パッド２００は、外面に外装シート３２が積層された不透液性バックシート２１の内面と、透液性トップシート２２との間に、吸収体２３が介在された基本構造を有している。
【００６１】
吸収体２３の裏面側には、不透液性バックシート２１が吸収体２３の周縁より若干食み出すように付設されている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００６２】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００６３】
外装シート３２の腹側部分Ｆ２および背側部分Ｂ２の両隅部には、それぞれウエストバンド１００の第１，２腹側係合部７０，７２および第１，２背側係合部７１，７３のフック材８４と係合するループ部材からなる係合部材９３がサーマルボンドにより固着され、外装シート３２の周方向中心部および縦方向中心部にはそれぞれ認識可能な目印９４が付設されている。
【００６４】
ウエストバンド１００に吸収パッド２００を容易に取付けるため、係合部材９３はウエストバンド１００の第１，２腹側係合部７０，７２および第１，２背側係合部７１，７３の傾斜角度に合わせて外装シート３２に固着するのが好ましく、着用者の歩行、着座等にともなう動作によりフック材８４と係合部材９３との係合面の剥がれを防止するため、通常の着用者である場合、フック材８４と係合部材９３とのせん断応力は５Ｎ／ｃｍ2以上であり、係合強度は６０Ｎ以上であるのが好ましい。
【００６５】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００６６】
トップシート２２と吸収体２３との間には、中間シート２５を介在させるのが望ましい。この中間シート２５は、吸収体２３により吸収した尿の逆戻りを防止するために付設されるものであり、保水性が低く、且つ透液性の高い素材、例えばメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは後述する上層吸収体２３Ｕの幅Ｌ２の５０〜９０％程度であるのが好ましい。
【００６７】
吸収パッド２００の縦方向両端部では、外装シート３２および透液性トップシート２２が吸収体２３の腹側端および背側端よりも縦方向両側にそれぞれ延在されて貼り合わされ、吸収体２３の存在しないエンドフラップ部ＥＦが形成されている。
【００６８】
吸収した尿が吸収パッド２００の縦方向両端部からの漏れ出しを防止するため、エンドフラップ部ＥＦには、それぞれ漏れ防止シート９１が付設され、さらに漏れ防止シート９１の外面には、ループ部材からなる仮止部材９２がサーマルボンドにより固着されている。
【００６９】
漏れ防止シート９１の素材としては、プラスチックシートやメルトブローン不織布を使用することもできるが、肌への感触性の点で、不織布にシリコンなどにより撥水処理をしたものが好適に使用される。
なお、漏れ防止シート９１を付設することなく、エンドフラップ部ＥＦに仮止部材９２を付設することができる。そのような場合、エンドフラップ部ＥＦを透液性トップシート２２に向かって折り曲げ、仮止部材９２を透液性トップシート２２に仮止することのより吸収した尿が吸収パッド２００の縦方向両端部からの漏れ出しを防止することができる。
【００７０】
吸収パッド２００の両側部では、外装シート３２が吸収体２３の側縁よりも外側にそれぞれ延在され、この延在部からトップシート２２の側部までの部分の内面にはバリヤシート２４の幅方向外側の部分２４ｘが縦方向全体にわたり貼り付けられ、吸収体２３の存在しないサイドフラップ部ＳＦを構成している。これら貼り合わせ部分は、図９では点模様で示されており、ホットメルト接着剤、ヒートシール、超音波シールにより形成できる。これらエンドフラップ部ＥＦ及びサイドフラップ部ＳＦは、本発明の周縁部をなし、これらにより囲まれる部分が本発明の本体部をなす。外装シート３２を付設しない場合、外装シート３２に代えて不透液性バックシート２１をサイドフラップ部ＳＦまで延在させ、サイドフラップ部ＳＦの外面側を形成することができる。
【００７１】
バリヤシート２４の素材としては、プラスチックシートやメルトブローン不織布を使用することもできるが、肌への感触性の点で、不織布にシリコンなどにより撥水処理をしたものが好適に使用される。
【００７２】
バリヤシート２４の幅方向中央側の部分２４ｃはトップシート２２上にまで延在しており、その幅方向中央側の端部には、細長状弾性部材２４Ｇが縦方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００７３】
また、両バリヤシート２４，２４は、幅方向外側の部分２４ｘが縦方向全体にわたり物品内面（図示形態ではトップシート２２表面および外装シート３２内面）に貼り合わされて固定されるとともに、幅方向中央側の部分２４ｃが、縦方向の両端部では物品内面（図示形態ではトップシート２２表面）に貼り合わされて固定され、かつ縦方向の両端部間では物品内面（図示形態ではトップシート２２表面）に固定されていない。この非固定部分は、図９に示されるように、物品内面（図示形態ではトップシート２２表面）に対して起立可能なバリヤ部となる部分であり、その起立基端２４ｂはバリヤシート２４における幅方向外側の固定部分２４ｘと内側の部分２４ｃとの境に位置する。
【００７４】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート（図示せず）により包むことができる。また、吸収体２３の形状は、相対的に腹側の部分が背側の部分よりも幅広な帯状、あるいは長方形状、台形状等、適宜の形状とすることができる。
【００７５】
吸収体２３は、下層吸収体２３Ｂの上に、下層吸収体２３Ｂの幅Ｌよりも幅Ｌ２が狭く且つ少なくとも股間部Ｃ２から背側部分Ｂ２にかけて縦方向に延在する上層吸収体２３Ｕが積層された二層構造となっている。上層吸収体２３Ｕの縦方向長さＭ４は下層吸収体２３Ｂの縦方向長さＭ３と同じであっても良いが、７０〜８５％程度とするのが望ましい。また、上層吸収体２３Ｕの全幅Ｌ２は下層吸収体２３Ｂの全幅Ｌの４０〜６０％程度とするのが望ましい。
【００７６】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。より詳細には、下層吸収体２３Ｂの繊維目付けは例えば８０〜４００ｇ／ｍ2程度、高吸収性ポリマーの目付けは例えば５０〜４００ｇ／ｍ2程度とすることができ、上層吸収体２３Ｕの繊維目付けは例えば８０〜３００ｇ／ｍ2程度、高吸収性ポリマーの目付けは例えば１０〜２００ｇ／ｍ2程度とすることができる。
【００７７】
下層吸収体２３Ｂは、股間部Ｃ２を含む縦方向中間の所定部分が幅の狭い括れ部分２３ｎとして形成されている。この括れ部分２３ｎの最小幅Ｌ３は、括れ部分２３ｎの縦方向に位置する非括れ部分の幅Ｌ１の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｌ３となる部位（最小幅部位）は２５〜３０％の範囲に位置しているのが好ましい。また、下層吸収体２３Ｂは、少なくとも次述の上層スリット４０と重なる位置にスリットを有しないものであり、この部位以外にスリットを有していても良いが、全体にわたりスリットを有しないのが望ましい。
【００７８】
上層吸収体２３Ｕは、幅方向中央線の左右両側に、表裏面に貫通する上層スリット４０が、股間部Ｃ２から背側部分Ｂ２にかけてそれぞれ延在されており、この上層スリット４０は、下層吸収体２３Ｂの括れ部分２３ｎのうち背側に向かうにつれて幅が拡大し始める背側拡幅開始位置（最小幅部位）２３ｗよりも背側において、背側に向うにつれてより幅方向外側に位置するように延在するか、又は幅方向に沿って幅方向中央側から幅方向外側に向かって延在する拡散促進部分４１を有している。この拡散促進部分４１は図示例のように下層吸収体２３Ｂの括れ部分２３ｎに沿う円弧状等の曲線状をなしているのが好ましいが、直線状であっても良い。また、図示形態の上層吸収体２３Ｕは、長方形状をなしているが、下層吸収体と同様に前後方向中間部に括れ部分を有していても良い（図示略）。
【００７９】
このような構造を有していると、座位時のように厚さ方向の圧縮力が加えられた状態でも、上層スリット４０が尿の拡散経路として確保されるため、図１５に矢印で示すように、股間部Ｃ２の排泄位置（図中の黒塗り星マーク）において局所的に吸収体２３に至った尿が上層スリット４０に沿って背側に拡散する過程で、上層スリット４０の拡散促進部分４１に沿って幅方向外側にも拡散し、より幅の広い下層吸収体２３Ｂに対して幅方向に広範囲に拡散供給される。よって、逆戻りが発生し難く成る。また、上層スリット４０が股間部Ｃ２まで存在していることにより、物品の股間部Ｃ２と身体とのフィット性が良好となる。
なお、このような観点から、上層スリット４０の拡散促進部分４１の前端は、下層吸収体２３Ｂの括れ部分２３ｎにおける背側拡幅開始位置２３ｗを通る幅方向線上またはその近傍に位置しているのが好ましい。また、上層スリット４０の拡散促進部分４１における幅方向外側縁の接線と縦方向とのなす角をθ１とし、下層吸収体２３Ｂの括れ部分２３ｎの側縁の接線と縦方向とのなす角をθ２としたとき、上層スリット４０の拡散促進部分４１と対応する縦方向範囲内の各縦方向位置において、次の関係式、
０°  ≦  θ１  ≦  ９０°
θ１−２０°  ≦  θ２  ≦  θ１＋２０°
を満足するように構成されているのが好ましく、
特に、次の関係式、
０°  ≦  θ１  ≦  ４０°
θ１−１０°  ≦  θ２  ≦  θ１＋５°
を満足するように構成されているのが好ましい。
【００８０】
さらに、上層スリット４０の拡散促進部分４１の後端は下層吸収体２３Ｂの側縁から離間しているのが好ましい。この場合、その幅方向離間距離Ｌ１が、下層吸収体２３Ｂにおける括れ部分２３ｎの後端の幅をＬとしたとき、１０ｍｍ  ≦  Ｌ１  ≦  Ｌ／３の関係を満足するように構成されているのが好ましく、特に５０ｍｍ  ≦  Ｌ１  ≦  Ｌ／３の関係を満足するように構成されているのが好ましい。このように、上層スリット４０の拡散促進部分４１の後端を下層吸収体２３Ｂの側縁からある程度離間させつつ、十分に下層吸収体２３Ｂの側部まで延在させることにより、上層スリット４０による幅方向の拡散が過大とならない範囲で、下層吸収体２３Ｂに対して十分に広範囲に尿を拡散することができるようになる。
【００８１】
また、吸収パッド２００の全長をＭとし、上層スリット４０の拡散促進部分の後端よりも背側部分Ｂ２の縦方向長さをＭ１とし、上層スリット４０の拡散促進部分４１の後端よりも腹側部分の縦方向長さをＭ２としたとき、Ｍ／２  ≦  Ｍ２  ＜  Ｍの関係を満足するように構成されているのが好ましく、特にＭ／７  ≦  Ｍ２  ＜  Ｍ／３の関係を満足するように構成されているのが好ましい。このように、上層スリット４０の拡散促進部分４１の後端を十分に背側に延在させつつも、物品後端から十分に離間させることにより、上層スリット４０による背側への拡散が適度となる。上層スリット４０をあまりに物品背側まで延在させると、背側への拡散が過大となって、いわゆる背漏れが発生するおそれがある。
【００８２】
上層スリット４０の幅ｗは適宜定めることができるが、通常の場合１０〜３０ｍｍの範囲内にあるのが好ましく、特に１０〜１５ｍｍの範囲内にあるのが好ましい。上層スリット４０の幅ｗが狭過ぎるとスリットが幅方向に潰れ易くなり、狭過ぎるとスリット４０内に上下部材（例えば吸収体２３の包装シート）が入り込み、いずれにせよ拡散のための空間が減少するため好ましくない。
【００８３】
一方、上層スリット４０は、拡散促進部分４１の腹側に連続する部分として、左右のスリット間隔ｄが２０〜４０ｍｍである導入部分４２を有しているのが好ましい。より好ましい間隔ｄは１０〜４０ｍｍである。この導入部分４２の縦方向長さは、物品全長の１０〜３５％程度、特に１２〜３５％程度であるのが好ましい。
【００８４】
さらに、上層スリット４０は、この導入部分４２の前端から幅方向外側に向きを変えて、上層吸収体２３Ｕの側縁に向かって延在する腹側間隔拡大部４３を有している。腹側間隔拡大部４３は、腹側に向うにつれてより幅方向外側に位置するように延在するか、又は幅方向に沿って幅方向中央側から幅方向外側に向かって延在する曲線状又は直線状をなしているのが好ましい。また、この腹側間隔拡大部４３は先端が図示形態のように上層吸収体２３Ｕの側縁に貫通しているのが好ましいが、上層吸収体２３Ｕの側縁までは到達させずに、側縁から離間させることもできる。
【００８５】
股間部Ｃ２へのフィット性を高めるために、吸収パッド２００の幅方向両側部におけるサイドフラップＳＦに外装シート３２の腹側部分Ｆ２の係合部材９３から背側部分Ｂ２の係合部材９３にわたり延在する脚周り伸縮部材９０を付設されている。
【００８６】
＜吸収性物品＞
図１７，１８に示すように、吸収性物品３００は、ウエストバンド１００と吸収パッド２００とから構成される。ウエストバンド１００の第１，２腹側係合部７０，７２のフック材８４に吸収パッド２００の腹側部分Ｆ２の係合部材９３を係合して取付け、ウエストバンド１００の第１，２背側係合部７１，７３のフック材８４に吸収パッド２００の背側部分Ｂ２の係合部材９３を係合して取付けることにより吸収性物品３００となる。
【００８７】
介護補助者が起立した着用者の背側から吸収性物品３００を装着させる場合、先ずウエストバンド１００の第１，２背側係合部７１，７３のフック材８４に吸収パッド２００の背側部分Ｂ２の係合部材９３を係合し取付け、次にウエストバンド１００の帯状体５０の中心部を着用者の背側に当て、次に帯状体５０周方向の両端部をそれぞれ着用者のウエストの右側と左側に伸張させながら着用者のウエストを囲装し、次に着用者の腹側で帯状体５０のフック材５６とループ材５７を係合し環状にし、次にウエストバンド１００の第１，２腹側係合部７０，７２のフック材８４に吸収パッド２００の腹側部分Ｆ２の係合部材９３を係合して取付け吸収性物品３００を装着する。この際、前述したウエストバンド１００の目印６０、吸収パッド２００の目印９４を縦方向に一致させることにより吸収性物品３００を着用者に容易に装着させることができる。
【００８８】
また、ウエストバンド１００の第１，２背側係合部７１，７３のフック材８４に吸収パッド２００の背側部分Ｂ２の係合部材９３を係合し取付けに先立ち前述した吸収パッド２００の仮止部材９２をウエストバンド１００の帯状体５０に仮止めすることにより介護補助者は自由に両腕が使用できるため、吸収性物品３００を着用者にさらに容易に装着させることができる。
【産業上の利用可能性】
【００８９】
本発明は、吸収パッドおよび吸収性物品に利用できるものである。
【符号の説明】
【００９０】
２１      透液性バックシート
２２      透液性トップシート
２３Ｕ    上層吸収体、
２３Ｂ    下層吸収体
２４      バリヤシート
３２      外装シート
４０      上層スリット
５０      帯状体
５１      上層不織布
５２      下層不織布
５３      ウエスト伸縮部材
５４      腰下伸縮部材
５５      支持部材
５６      フック材
５７      ループ材
６０      目印
６１      第１切欠き部
６２      第２切欠き部
７０      第１腹側係合部
７１      第１背側係合部
７２      第２腹側係合部
７３      第２背側係合部
７４      固着部
８０      取付けシート
８１      伸縮シート
８２      上層不織布
８３      下層不織布
８４      フック材
８５      伸縮部材
９０      脚周り伸縮部材
９１      漏れ防止シート
９２      仮止部材
９３      係合部材
９４      目印
１００    ウエストバンド
２００    吸収パッド
３００    吸収性物品
【図１】
0006037370.tif 000002
【図２】
0006037370.tif 000003
【図３】
0006037370.tif 000004
【図４】
0006037370.tif 000005
【図５】
0006037370.tif 000006
【図６】
0006037370.tif 000007
【図７】
0006037370.tif 000008
【図８】
0006037370.tif 000009
【図９】
0006037370.tif 000010
【図１０】
0006037370.tif 000011
【図１１】
0006037370.tif 000012
【図１２】
0006037370.tif 000013
【図１３】
0006037370.tif 000014
【図１４】
0006037370.tif 000015
【図１５】
0006037370.tif 000016
【図１６】
0006037370.tif 000017
【図１７】
0006037370.tif 000018
【図１８】
0006037370.tif 000019